(57)【特許請求の範囲】
【請求項１】
医療装置との無線通信のための方法であって、情報入力信号（ｓ1，ｇ4）は送信機（２乃至８，１６乃至２６）において角度変調、すなわち位相又は周波数変調の処理を受け、伝送チャンネルを介して受信機（１１乃至１５，２９乃至３７）に到達する方法において、
所定の周波数スペクトルを有し情報を伝送する角度変調されたパルス（ｓ5，ｇ7）が送信機において生成され、上記角度変調されたパルス（ｓ5，ｇ7）の生成は、送信されるパルスに比べて継続時間が短く振幅が増大したパルスが生成されるように周波数依存の遅延時間を有する分散フィルタ（１３，３２，３３）を用いて受信機（１１乃至１５，２９乃至３７）において上記角度変調されたパルス（ｓ5，ｇ7）が時間圧縮され得るように実行され、上記送信機側において、メッセージを構成する情報の少なくとも一部は電気通信技術に係る付加的な変調又は符号化処理によって上記パルスに印加されるか、又はメッセージを構成する情報の少なくとも一部は上記角度変調において付加的に印加され、
上記送信機は最初に準ディラックパルス列（ｓ2，ｇ1）を近似的に生成し、上記準ディラックパルス列（ｓ2，ｇ1）は、臨界周波数の直前にピークを有するフィルタ特性曲線を備えた低域通過フィルタ（３，１８）に供給され、上記低域通過フィルタ（３，１８）は、ショックパルス列を、ｓｉｎｃ関数（ｓｉ（ｘ）＝ｓｉｎｘ／ｘ）によって記述される形状を有するｓｉｎｃパルス列（ｓ3，ｇ2）に変換し、上記ｓｉｎｃパルス列（ｓ3，ｇ2）は次いで振幅変調器（４，２０）に送られ、上記振幅変調器（４，２０）は、ｓｉｎｃ形状の包絡線をパルス毎に搬送波周波数（ｆT）信号に印加し、このように生成された信号（ｓ4，ｇ3）は分散フィルタ（６；２２，２３）に供給され、上記分散フィルタ（６；２２，２３）から周波数変調されたパルスが出力されることを特徴とする方法。
【請求項２】
上記パルス列は予め設定されたフィルタ応答に従ってろ波され、
上記送信機側の角度変調と、上記受信機側の分散フィルタ（１３，３２，３３）の周波数依存性の差動遅延時間応答とは、出力信号（ｓ9，ｇ14）の角度変調されたパルス列（ｓ6）の複数のスペクトル信号成分が上記分散フィルタ（１３，３２，３３）の周波数依存性の可変信号遅延時間のために上記分散フィルタ（１３，３２，３３）の出力に本質的に同時にかつ振幅が対応して増大されて到着するように整合されている請求項１記載の方法。
【請求項３】
上記付加的な変調方法は、パルス位置変調（ＰＰＭ）、パルス符号変調（ＰＣＭ）、差動パルス符号変調（ＤＰＣＭ）、パルスデルタ変調（ＰＤＭ）、又は上記変調方式のうちの１つ又は複数に係る変形である請求項１記載の方法。
【請求項４】
上記角度変調及び付加的な変調方法は、互いに独立であるか、直交するか、又は近似的に直交する変調タイプを形成する請求項３記載の方法。
【請求項５】
上記送信機（１６乃至２６）において、上記入力信号（ｇ4）の搬送波周波数の各パルスは角度変調される請求項１記載の方法。
【請求項６】
上記角度変調されたパルスは上記受信機（２９乃至３７）において少なくとも２つの分散フィルタ（３２，３３）に供給され、
周波数変調されたパルスの複数のスペクトル信号成分が本質的に同時にかつ振幅を対応して増大されて上記２つの分散フィルタ（３２，３３）のうちの１つのみの出力に到着し、対応する他方の分散フィルタ（３３，３２）によっては上記圧縮が実施されないように、上記分散フィルタ（３２，３３）の可変遅延時間応答と上記送信機側で使用される変調特性とは対になって整合されている請求項２記載の方法。
【請求項７】
上記分散フィルタ（１３）によって圧縮されたパルスの振幅は検出器（１４，１５）を使用して評価される請求項１記載の方法。
【請求項８】
上記角度変調は、予め決められた時間変化のふるまいに従ってパルスの継続時間の間に位相角の時間変化を決定する、予め設定された変調特性に従って実行され、
上記振幅変調器（４）において、上記入力信号（ｓ1）に含まれる情報を印加するための角度変調されたパルスの振幅は、上記入力信号（ｓ1）に依存して事前に設定され、
上記受信機（１１乃至１５）において、上記角度変調されたパルスは分散フィルタ（１３）に供給され、上記分散フィルタ（１３）の遅延時間応答は、角度変調されたパルス（ｓ6）の複数のスペクトル信号成分が本質的に同時にかつ振幅が対応して増大されて上記分散フィルタ（１３）の出力に到着するように、逆の時間変化のふるまいによって上記送信機側における角度変調の変調特性に整合され、
上記分散フィルタ（１３）によって圧縮されたパルスの振幅は、上記入力信号（ｓ1）に含まれた情報の復元のために、検出器（１４，１５）を使用して評価される請求項１記載の方法。
【請求項９】
パルス変調された信号のパルス継続時間の間に、搬送波周波数の角度、すなわち周波数又は位相は、パルス継続時間にわたって予め決められたプロファイルに従って線形的又は非線形的に、より低い周波数又は位相位置からより上位の周波数又は位相位置に、もしくはその反対で単調に変化し、上記受信機内の分散フィルタが対応する相補的な応答を保持する請求項８記載の方法。
【請求項１０】
上記予め決められたプロファイルは、パルス列内で常に個々のパルスの相互関係において変化し、この変化もまた情報の一部分である請求項９記載の方法。
【請求項１１】
上記送信機（２乃至８，１６乃至２６）と上記受信機（１１乃至１５，２９乃至３７）の整合のために、予め決められたディジタル基準信号が整合処理中のアラインメントのための入力信号（ｓ1，ｇ4）として送信され、
上記整合処理中に、上記受信機側の分散フィルタの出力信号（ｓ7，ｇ10，ｇ11）の振幅又はパルス継続時間が測定され、上記送信機側で使用された変調特性又は上記受信機側の分散フィルタ（１３，３２，３３）の周波数依存の遅延時間応答は、上記受信機の分散フィルタの出力におけるパルス継続時間が最小値に達するまで、もしくは振幅が最大値に達するまで変化される請求項１記載の方法。
【請求項１２】
上記受信機内の信号の流れは、互いに逆の周波数依存の遅延時間特性を有する２つの分散フィルタ（３９，４４，４０，４３）をそれぞれ有する２つの並列の分岐に分割され、
上記２つの分岐における信号の流れは、各パルスの間の予め決められた時間間隔で接続されるか又は遮断され、上記遮断又は接続は伝送クロックと同期して実行され、
上記２つの分岐は減算器（４５）によって出力側で合成される請求項１記載の方法。
【請求項１３】
上記搬送波信号の周波数領域は４００ＭＨｚと１ＧＨｚとの間の範囲にある請求項１記載の方法。
【請求項１４】
請求項１乃至１３のいずれか１つの方法を実施するための送信機及び受信機システムであって、
入力信号（ｓ1，ｇ4）を取得して送信するための送信機（２乃至８，１６乃至２６）を備え、上記送信機（２乃至８，１６乃至２６）は上記入力信号（ｓ1，ｇ4）の角度変調、すなわち位相又は周波数変調のための第１の変調器（２乃至６，１６乃至２４）を含み、
上記入力信号（ｓ1，ｇ4）の復元のための復調器（１４，１５，３１乃至３７）を含む受信機（１１乃至１５，２９乃至３７）を備えた送信機及び受信機システムにおいて、
上記第１の変調器は、準ディラックパルス列（ｓ2，ｇ1）を生成する手段（２，１７）と、上記手段（２，１７）に入力側で接続され、臨界周波数の直前にピークを有するフィルタ特性曲線を備えた低域通過フィルタ（３，１８）とを備え、上記低域通過フィルタ（３，１８）は、ショックパルス列を、ｓｉｎｃ関数（ｓｉ（ｘ）＝ｓｉｎｘ／ｘ）によって記述される形状を有するｓｉｎｃパルス列（ｓ3，ｇ2）に変換し、上記第１の変調器はさらに、上記低域通過フィルタ（３，１８）の出力側に接続され、ｓｉｎｃ形状の包絡線を搬送波周波数（ｆT）信号に印加する振幅変調器（４，２０）と、上記振幅変調器（４，２０）の出力側に接続された分散フィルタ（６；２２，２３）とを備え、
上記第１の変調器（２乃至６，１６乃至２４）は、角度変調されたパルスを生成し、これにより、各パルスの継続時間中の角度又は位相位置の時間変動を決定する変調特性に従って変調を実行し、
上記第１の変調器（１６乃至２４）は、上記入力信号（ｇ4）を取得して当該入力信号（ｇ4）に依存して変調特性を設定するための制御入力を含み、又は、上記第１の変調器（２乃至６）は、上記入力信号（ｓ1）に依存して上記角度変調されたパルスの付加的な変調を実行するための第２の変調器（４）を含み、
上記受信機（１１乃至１５，２９乃至３７）は、予め設定された周波数依存性の差動遅延時間応答を有し、予め決められた変調特性に従って上記送信機側で角度変調されたパルスをろ波する少なくとも１つの分散フィルタ（１３，３２，３３）を含み、
出力信号（ｓ9，ｇ14）の振幅を増大させるために、上記分散フィルタ（１３，３２，３３）の群遅延応答は、上記送信機側で使用される変調特性と整合され、上記整合は、この変調特性に従って角度変調されたパルスの複数の信号成分が、上記分散フィルタ（１３，３２，３３）を通過する際の周波数依存の可変型信号遅延時間のために、上記分散フィルタ（１３，３２，３３）の出力に本質的に同時にかつ振幅を対応して増大されて到着するように実行されることを特徴とする送信機及び受信機システム。
【請求項１５】
上記第１の変調器（１６乃至２４）は、予め決められた第１の変調特性、予め決められた第２の変調特性、又は別の変調特性の何れかに従って上記制御入力において上記入力信号（ｇ4）に依存して角度変調が実行されるように、角度変調されたパルス列を生成し、
上記受信機（２９乃至３７）は、並列に接続された少なくとも２つの分散フィルタ（３２，３３）を含み、これにより、上記角度変調されたパルス列の複数のスペクトル信号成分が上記２つの分散フィルタ（３２，３３）のうちのただ１つの出力において本質的に同時にかつ振幅を対応して増大されて到着し、一方で整合されていない分散フィルタでは圧縮が行われないように、上記２つの分散フィルタ（３２，３３）の可変遅延時間応答と上記送信機側で利用可能な２つの変調特性とは対になって整合される請求項１４記載のシステム。
【請求項１６】
上記送信機側の第１の変調器（１６乃至２４）は、２つの変調特性に従って角度変調されたパルス列を生成するためにそれぞれ分散フィルタ（２２，２３）を含み、
上記第１の変調器（１６乃至２４）内に設けられた分散フィルタ（２２，２３）は入力側において、本質的にｓｉｎｃ形状の包絡線を有する高周波信号（ｇ3）を生成する信号源（１６乃至２０）に、制御可能なスイッチング素子（２１）によって接続され、
上記スイッチング素子（２１）は、上記入力信号（ｇ4）による制御のために、上記変調器（１６から２４）の制御入力に接続される請求項１５記載のシステム。
【請求項１７】
上記第１の変調器（２乃至６）は、各パルスの継続時間中の周波数の時間変化を決定する予め設定された変調特性に従いかつ上記入力信号（ｓ1）とは独立に角度変調が実行されるように、角度変調されたパルスを生成し、
上記送信機側の第２の変調器（４）は、上記入力信号（ｓ1）に含まれる情報を印加するために、上記入力信号（ｓ1）に依存して、上記角度変調されたパルスの振幅を決定する振幅変調器（４）であり、
上記受信機（１１乃至１５）は、上記予め設定された変調特性に従って上記送信機側で角度変調されたパルスをろ波するために、予め決められた周波数依存の差動遅延時間応答を有するただ１つの分散フィルタ（１３）を含み、これにより、最適な振幅増大のために、上記分散フィルタ（１３）の遅延時間応答は、各角度変調されたパルスの複数のスペクトル信号成分が上記分散フィルタ（１３）の出力に本質的に同時にかつ振幅を増大されて到着するように、上記送信機側で使用される変調特性に整合され、
検出器（１４，１５）は、上記入力信号（ｓ1）に含まれる情報を復元するために上記分散フィルタ（１３）の後に接続されている請求項１４記載のシステム。
【請求項１８】
送信及び受信の交互の動作を実行するために、上記送信機（２乃至８，１６乃至２６）及び上記受信機（１１乃至１５，２９乃至３７）は、それぞれ少なくとも１つの分散フィルタ（６，１３，２２，２３，３２，３３）を含む変調又は復調のための対応した本質的に同一の構成要素モジュールを含む請求項１４記載のシステム。
【請求項１９】
少なくとも１つの分散フィルタ（６，１３，２２，２３，３２，３３）は弾性表面波フィルタである請求項１４記載のシステム。
【請求項２０】
上記受信機（１１乃至１５，２９乃至３７）は、出力側に上記出力信号（ｓ9，ｇ14）の振幅及び／又はパルス継続時間を測定するためのメータを含み、
上記受信機（１１乃至１５，２９乃至３７）には、上記分散フィルタ（１３，３２，３３）の周波数依存の遅延時間応答を設定するための調整素子が提供されている請求項１４記載のシステム。
【請求項２１】
上記出力信号の振幅が最大値になるように、又は上記出力信号のパルス継続時間が最小値になるように、上記受信機（１１乃至１５，２９乃至３７）は、上記調整素子の制御のために入力側でメータに接続された制御装置を含む請求項２０記載のシステム。
【請求項２２】
上記受信機は、並列に接続された２つの分岐により本質的に構成される雑音抑圧回路（３８，４７）を含み、これらの分岐は出力側で減算器（４５，５４）の入力に接続され、上記分岐の各々において、互いに逆の周波数依存の遅延時間特性を有しかつ直列に接続された２つの分散フィルタ（３９，４４，４０，４３，４８，５２，４９，５３）が設けられ、
上記２つの分岐の各々において、上記２つの分散フィルタ（３９，４４，４０，４３，４８，５２，４９，５３）の間に信号の流れを制御するための制御素子（４１，４２，５０，５１）が設けられ、上記制御素子（４１，４２，５０，５１）は、上記信号の流れの制御を伝送クロックに同期させるための同期回路（４６，５５乃至５７）に接続されている請求項１４記載のシステム。
【請求項２３】
上記信号の流れを遮断し又は接続するための制御素子は、制御可能なスイッチング素子（４１，４２）であり、その制御入力は上記信号の流れの同期化された遮断又は切断のために同期回路（４６）に接続されている請求項２２記載のシステム。
【請求項２４】
上記制御素子は、入力側を前置の上記分散フィルタ（４８，４９）に接続され、上記信号の流れの同期化された抑圧又は切断のために上記同期回路（５５乃至５７）に接続された乗算器（５０，５１）である請求項２２記載のシステム。
【請求項２５】
医療装置との無線通信のための方法であって、情報入力信号（ｓ1，ｇ4）は送信機（２乃至８，１６乃至２６）において角度変調、すなわち位相又は周波数変調の処理を受け、伝送チャンネルを介して受信機（１１乃至１５，２９乃至３７）に到達する方法において、
所定の周波数スペクトルを有し情報を伝送する角度変調されたパルス（ｓ5，ｇ7）が送信機において生成され、上記角度変調されたパルス（ｓ5，ｇ7）の生成は、送信されるパルスに比べて継続時間が短く振幅が増大したパルスが生成されるように周波数依存の遅延時間を有する分散フィルタ（１３，３２，３３）を用いて受信機（１１乃至１５，２９乃至３７）において上記角度変調されたパルス（ｓ5，ｇ7）が時間圧縮され得るように実行され、上記送信機側において、メッセージを構成する情報の少なくとも一部は電気通信技術に係る付加的な変調又は符号化処理によって上記パルスに印加されるか、又はメッセージを構成する情報の少なくとも一部は上記角度変調において付加的に印加され、
上記角度変調されたパルスの生成は、デジタル信号処理技術を用いて実行されることを特徴とする方法。
【発明の詳細な説明】
説明
本発明は、請求項１に記載された方法及び本方法を実行するための装置に関する。
高周波搬送波信号を使用して動作するこうした方法は、例えばドイツの特許出願第ＤＥ  １９６  ０１  ８６６号によって周知である。
特に移植された医療装置と外部の送信機又は受信機との間で信号伝送を行うための方法及び装置としては、様々なものが知られている。例えば、最近の心臓ペースメーカーは、ペースメーカー電極を使用して心電図（ＩＥＣＧ）を記録し、遠隔測定装置を使用してこれを体外の制御装置に伝送することができる。
例えば、ジョン・ジー・ウエブスター（John G. Webster）（編者）による著作”心臓ペースメーカーの設計”，セクション１２，”外部プログラミング”ＩＥＥＥプレスブックシリーズ，ニューヨーク，１９９５年、によって周知である移植された心臓ペースメーカーのための最近の信号伝送方法では、無線で伝送されるディジタル信号は、送信機内の変調器によって高周波搬送波信号のビット列に変調される。次いで、これは、受信機までの距離を伝送される。受信機は、データ信号を回復又は再生させるための対応する復調器を含んでいる。搬送波信号は比較的低い周波数領域にあるが、これは、当該信号が体内を通過する必要があり、従って隣接する医療装置との間で干渉があってはならないためである。
こうした方法は全て、受信機側で回復されるデータ信号の品質が、送信機と受信機との間の距離に伴って、また伝送路における干渉によって極度に低下するという欠点を有している。
送信電力は、雑音のある伝送路を介した情報伝送において、上述されたある雑音免疫性を有する所望の範囲を達成できるように、所定の値を下回ってはならない。
要求されるこうした高い送信電力は、一方で、伝送動作中のエネルギー消費量が対応して高いという欠点を有している。これは、前述の心臓ペースメーカーのようなバッテリ動作式の装置にとっては、バッテリの消耗が速いために不利である。また他方、送信機から放射される電磁放射が人体を害する可能性について懸念する向きもあり、移植された医療装置では特に、患者との距離が極めて短いことから、この点が考慮されなければならない。
本発明の目的は、少なくとも伝送品質を維持しながら送信電力の低下及び医療用インプラントの領域の拡大を可能にするような、前述のタイプの方法と、本方法を実行するための装置とを創造することにある。
この目的は、まず請求項１の方法については本方法を特徴づけている特徴によって、また本方法を実行するための装置については請求項１３に記載された特徴によって果たされる。
本発明は、情報に従って変調されたパルスに対して、電気通信の周知方法を使用して送信機において角度変調するという技術的原理を含む。（角度変調は、位相及び周波数変調の総称として解釈されるべきものである。）角度変調されたこれらのパルスは、適正な手段を使用した時間遅延の導入により受信機において時間圧縮されるため、パルスの継続時間が短縮され、パルスの振幅が増大される。このパルス圧縮は、分散フィルタを使用して実行が可能である。情報は、こうして処理されたパルスから対応する復調によって回復され得るため、復調は、振幅における増大のために、改善された信号対雑音比を以て実行することができる。実際の情報は、パルス変調方法によって、もしくは時間的に継続する複数のパルスに対して認識可能な異なる方法でパルス圧縮を実行することによりパルスへの印加又は重畳が可能であるため、情報は角度変調のこの変化に含まれる。
従って、復調の後に利用可能となる信号は、復調以外には、冗長要素のために、より広範囲な周波数領域又はより長い送信時間を占有するために利用可能なデータチャンネルはより低いデータのスループットを示し、もしくはより少ないユーザ数にしか使用することができないようなダイバーシティ受信又は信号符号化等の受信を向上させるための他の任意の高額な方法を使用しないとなれば、より高い送信電力の使用によってしか取得することのできないような信号である。
本発明では、送信機におけるパルスの角度変調は、パルス継続時間の間に、周波変調の場合は周波数の変更を、位相変調の場合は位相のシフトを決定するような変調に従って実行される。位相及び周波数変調はともに、角度変調という共通の総称の下に取り扱われている。
パルスの変調は、様々なパルス変調方法を使用して達成することができるが、可変角度変調においては、”変調特性曲線”に対応して特別な角度変調時間特性が使用される。
これにより、変調特性曲線、本明細書では変調特性と称されるが、パルス継続時間の間の周波数の時間行動（ふるまい）を決定する。好適には、伝送される信号の周波数は、パルス継続時間の間に、搬送波周波数を上回る値から搬送波周波数を下回る値にまで線形的に減少する。受信機側のフィルタは、異なる位相位置の生成された複数の信号成分が重なり合ってほぼ同時発生的な信号を形成するように、対応する差動の周波数依存の遅延時間応答によって、使用される変調特性に整合（適合）されている。
伝送される情報の印加又は重畳は、変調特性の変更又は選択、もしくは信号遅延時間に全く影響しない、もしくはほんの二次的影響しか与えない他の任意の従来的な変調方法の何れかによって発生し得る。好適な選択は、入力された信号に依存する伝送される信号の振幅の変調、すなわち振幅変調、又は伝送される情報が伝送されるパルスのタイプ、数、位置又は順序によって決定されるあらゆるタイプの符号化である。
本発明は、従来の慣習的周波数より高い周波数を使用して、一つには組織に影響を与えることなく、また一つには医療環境において使用される他の装置に対する電磁干渉（ＥＭＩ）無しに、信号を特に移植された装置に伝送する可能性を有用な方法で提供している。今日に至るまで、この点が、医療環境において電磁波を放射する装置を使用する際の主たる問題であった。今までは、こうした状況によって、例えば携帯電話他の使用が禁止されていた。さらに本発明の方法は、信号伝送をより長い距離（例えば、患者の部屋の中）に渡って行えるため、プログラミング装置他を患者の体に直接取り付ける必要がないという利点を提供している。適当なコードを選択すれば、複数の装置と並行して、相互に干渉することなく通信することも可能である。使用される信号は低い振幅で伝送可能であるため、周辺の雑音レベルを越えることはなく、越えても無視できる程度のものであり、その間の相互作用は低い。
本発明の好適な実施形態では、入力された信号の情報の印加又は重畳は、入力された信号に依存して変調特性を選択し又は変調することによって発生する。入力された信号がハイレベルを有する場合は、例えば信号に伴って線形的に降下する変調特性が使用され、パルス継続時間の間に周波数が減少する周波数変調されたパルスが生成されるに至る。入力された信号がローレベルである場合は、線形的に上昇する変調特性が使用され、同様にパルス継続時間の間に増加する周波数を有するパルスが生成されるに至る。受信機側のフィルタは適正に整合されている。
本発明は、線形変調特性に制限されるものではなく、異なるレベルの入力信号に個別の変調を割り当てるだけで受信機における後続信号の識別が可能であるような、任意形状の変調特性を使用して実行することができる。
また、入力信号に対して３つ以上の変調特性を使用して、各パルスにより多い情報内容を伝送させることも可能である。例えば異なる４つの変調特性を利用可能であるとすると、同じく異なる４つのパルスを伝送することが可能であり、これは伝送される各パルスにつき２ビットのデータ内容に相当する。個々の変調特性の数を増やせばデータ伝送レートを効果的に増大させることができるが、あまりに多い変調特性が使用されると周波数変調されたパルスの間の識別がより困難となり、伝送のエラーに対する感受性を増大させる可能性があることに留意しなければならない。
本発明による前述の実施形態では、パルスの変調は、ハイレベル及びローレベルのディジタル入力された信号の両方に対してアクティブに発生する。これは、入力信号のローレベル及びハイレベルの間に周波数変調されたパルスが生成され、パルス継続時間の間にこれらが周波数変化によって識別されることを意味している。従って、これにより、入力信号に含まれる情報の伝送される信号への印加又は重畳は、入力された信号に依存する変調特性の選択又は変化を用いて達成される。
本発明の他の変形例では、送信機におけるパルスの角度変調は、伝送される入力信号に関わりなく、パルスの継続時間の間に周波数又は位相の変化を決定する単一のデフォルトの変調特性に従って発生する。入力信号に含まれる情報の伝送信号への印加又は重畳は、よく知られているディジタル変調方法に従って様々に実行することができる。好適には、周波数変調された個々のパルスの位置が入力された信号によって修正されるパルス位置変調（ＰＰＭ）を実行する。
本発明の好適な実施形態では、入力された信号に含まれる情報の伝送信号への印加の重畳はパルスコード変調（ＰＣＭ）によって実行される。この場合は、伝送されるパルスの順序が入力された信号に依存して訂正される。ディジタル入力された信号の場合、入力された信号の伝送は、１つのレベルに対してのみアクティブに発生するが他のレベルに対してはパルスが生成されず、異なるパルスはその振幅によってのみ識別される。ハイレベルの入力信号に対しては、好適には線形的に上昇する周波数変調されたパルスが生成され、ローレベルに対しては、パルス長を有するポーズが挿入される。本発明のこの変形例では、ディジタル入力された信号のパルスの変調をわずか１つの変調特性によって実行することができる。
入力された信号に含まれる情報を伝送信号に印加するための本設計においては、本発明は前述のパルス位置変調又はパルスコード変調に制限されず、原則的には、あらゆる周知のディジタル変調方法を使用して実行することができる。
送信機は、前述の方法のうちの１つによって周波数変調された信号を伝送路を介して受信機に伝送し、同信号は受信機で復調されてデータ信号が回復される。
この場合、及び以下の記述においては、伝送路という用語は、一般に、送信機から受信機へのデータ伝送が電磁波によって発生するあらゆる無線伝送路を含むものとして理解されなければならない。
送信機によって生成された周波数変調されたパルスを受信機内の雑音信号と区別するために、こうしたパルスは受信機において圧縮される。これにより、信号対雑音比の増大によって対応して振幅が増大するに至る。
本発明による方法のさらなる利点は、受信機におけるパルス圧縮の後により低い送信電力によって、予め決められた信号対雑音比を達成することができるために、他の送信機及び受信機に比較して極めて低い干渉電位を得ることにある。さらに、送信電力に対してより低くするという要求は、電磁放射による環境への影響を小さくする。
送信機によって使用された変調特性に従って周波数変調され、受信機側で抽出された信号を圧縮するために、受信された信号は、予め決められた周波数依存の差動遅延時間応答を有する分散フィルタによってろ波される。
送信機側でただ１つの変調特性を使用して周波数変調されたパルスを生成する上述の本発明の変形例では、受信機側で必要な分散フィルタはただ１つである。これにより、この分散フィルタの周波数依存の遅延時間応答は、送信機側で生成された周波数変調されたパルスのスペクトル信号成分は、分散フィルタの出力に本質的に同時に到着し、パルス圧縮及び対応して振幅の増大がもたらされるように、送信機側で実行された角度変調の変調特性に整合されている。送信機側の角度変調が線形的に降下する変調特性に従って実行されるとすると、パルスの周波数はパルス継続時間（又はパルス持続時間）の間に減少し、受信機には高い周波数の信号成分が低い周波数の信号成分よりも前に到着することになる。受信機側の分散フィルタの遅延時間応答は、周波数変調されたパルスのスペクトル信号成分が重なって分散フィルタの出力に振幅が増大したパルスが形成されるように、高い周波数の信号成分によるこの”先導又はリード”を補償する必要がある。
入力された信号に含まれる情報の回復又は再生は、入力された信号に含まれる情報を印加するために送信機側で使用された変調方法に整合された分散フィルタの後に接続された検出器によって実行される。
入力された信号の振幅に依存して、送信機側で複数の変調特性から１つが選択され、好適には入力された信号がハイレベルであれば線形的に降下する変調特性が、またローレベルであれば線形的に上昇する変調特性が選択されるとすれば、受信機における解釈処理に関して基本的に２つのオプションが存在する。
１つ目のオプションは受信機側にただ１つの分散フィルタを提供することであり、当該分散フィルタの遅延時間応答は、送信機側で使用された変調特性に整合される。従って、この変調特性によって周波数変調されたパルスのスペクトル信号成分が分散フィルタの出力に本質的に同時に到着し、パルス圧縮及び対応して振幅増大がもたらされる。送信機側の周波数変調が受信機側の分散フィルタの遅延時間応答に最適には整合していない他の変調特性の１つに従って発生する場合には、周波数変調されたパルスのスペクトル信号成分は、分散フィルタの出力において時間超過で分散されて到着するため、パルス圧縮又は伸張がより低く、よって振幅もより小さい。この実施形態では、分散フィルタの出力に到着するパルスの振幅は、送信機側で使用された変調特性に依存し、従って変調特性の選択に際して使用された入力信号の振幅に依存する。例えば振幅復調器としての実行が可能な検出器は、分散フィルタの後段に接続されており、分散フィルタの出力信号からディジタル入力された信号を回復させる。
もう１つのオプションでは、周波数変調されたパルスが受信機側の複数の分散フィルタに供給される。この場合、受信機側に設けられた複数の分散フィルタ差動遅延時間応答と送信機側で使用された変調特性とは、周波数変調されたパルスのスペクトル信号成分が複数の分散フィルタのうちの正確に１つの出力に本質的に同時に到着して振幅が増大するに至るが、他の分散フィルタの出力信号は異なる特性のために増大されないように対で整合されている。従って、入力された信号は、どの分散フィルタが振幅の増大を示すかによって識別可能である。
効果的には、弾性表面波フィルタ（英語：SAW-Filter）が分散フィルタとして使用される。この場合は、分散フィルタは、伝送された信号の異なるスペクトル成分が分散フィルタを通るその異なる通過時間のために受信機における分散フィルタの出力にほぼ同時に到着するため、出力された振幅がスペクトル成分の最適の重畳によって大幅に増加されるように送信機側で実行された角度変調に整合されている周波数依存の差動遅延時間応答を有する。
送信機における周波数変調された信号の生成は、様々な方法で達成することができる。そのうちの幾つかについて、以下で簡単に説明する。
本発明の好適な実施形態では、まず近似（準）ディラックパルスが生成されて低域通過フィルタに供給される。低域通過フィルタのフィルタ特性は、臨界周波数の直前でピークを示し、こうしてデルタインパルスをＳｉｎｃパルスに変換する。Ｓｉｎｃパルスの形状は、Ｓｉｎｃ関数：Ｓｉｎｃ（ｘ）＝sin(x)／ｘによって記述される。低域通過フィルタのｓｉｎｃ形状である出力信号は、次いで、Ｓｉｎｃ形状の包絡線を搬送波発振器に印加する振幅変調器に供給される。こうして生成された信号が分散フィルタに供給されると、周波数変調されたパルスがその出力に現れる。従って本発明のこの変形例においては、送信機側で分散フィルタは、まず比較的シャープなＳｉｎｃインパルスを、Ｓｉｎｃパルスに比べるとより広く、対応してより低い振幅を有する周波数変調されたパルスに伸張する。受信機側では、分散フィルタは、対応して振幅増大を伴うパルスの圧縮を実行する。送信機側でのパルスの伸張と受信機側での圧縮にそれぞれ１つの分散フィルタが使用されるために、この変形例は、送信及び受信の交互処理を行うトランシーバの処理に効果的に整合している。このため、送信機及び受信機は各々、送信処理では周波数変調されたパルスの生成に使用され、受信モードでは受信された周波数変調されたパルスの圧縮に使用される各々１つの分散フィルタを有し、対応する同一の構成要素モジュールを包含することができる。
本発明の他の変形例では、周波数変調されたパルスの発生は、ＰＬＬ（位相同期ループ）及び電圧制御発振器（ＶＣＯ）を使用して実行される。ここでは、ディジタル形式で存在する入力された信号の個々のパルスが、まず積分器においてのこぎり形パルスに変換されるため、個々のパルスの上昇方向は、入力された信号の振幅に依存する。こうして生成された信号は、次にＶＣＯの制御に使用され、出力パルスの周波数がパルス継続時間の間に、入力された信号のレベルに依存して線形的に増加又は減少する。
本発明のさらなる変形例では、送信機における周波数変調されたパルスの生成が、ディジタル信号処理装置によって行われる。これにより、所望の任意の変調特性を効果的に実行可能である。
本発明によるメッセージ伝送システムにおいては、受信機におけるパルス圧縮を達成可能にするために、受信機側で使用される分散フィルタの周波数依存の遅延時間応答を送信機側で実行された周波数変調の変調特性に整合させる必要がある。
本発明のある変形例では、この目的のために送信機と受信機のペアが整合されて製造されており、システムの運転開始に際してさらなる同調処理を行う必要がない。前述の分散フィルタは、好適には弾性表面波フィルタ（ＳＡＷフィルタ）として実施される。これは、こうしたフィルタが高い精度及び安定性を以て製造可能であるためである。さらに、こうした弾性表面波フィルタは、振幅応答と位相応答とを互いに関わりなくサイズ決めすることが可能であって、各受信機に要求される狭帯域の帯域通過フィルタと分散フィルタとを１つの構成要素として実施する可能性がもたらされるという優位点を提供している。こうしたフィルタは、例えば欧州特許出願第ＥＰ  ０  ０２２３  ５５４  Ａ２号によって、他のアプリケーションの領域のために周知である。
本発明の他の変形例では、受信機側で使用される分散フィルタの遅延時間応答を変化させることによって受信機が送信機に整合される。
このように、本発明の効果的な一変形例では、送信機は整合処理の間に、好適にはハイレベルの入力信号の列に一致した基準信号を送信し、これによって、送信機側で実行された周波数変調の変調特性、又は受信機側の分散フィルタの周波数依存遅延時間応答は、受信機側で最適なパルス圧縮及び振幅増大が達成されるまで変化される。本変形例は、受信機においてディジタル信号プロセッサを使用して、ろ波及び処理を行う場合に特に優位である。これは、こうした信号プロセッサが、周波数依存の遅延時間応答の修正及び対応する最適化を簡単な方法で可能にするため、最適化処理をコンピュータ制御を使用して自動的に実施することができることによる。
本発明のさらなる効果的な実施形態では、データ伝送がブロック毎に発生する。よって、上述の整合処理が再度各ブロック毎に実行され、伝送路の分散特性の変動を動的に補正することができる。
本発明の他の効果的なさらなる展開は、従属の請求項において記載され、もしくは以下で、図面並びに本発明の好適な実施形態についての説明を使用してより詳細に記述されている。
図１ａ及び図１ｂは、本発明の好適な実施形態として、移植された医療装置から体外の制御装置へのデータ伝送を行うための送信機及び受信機を示す。
図２ａ乃至図２ｅは、送信機のディジタル入力された信号、及び送信機における伝送信号までの信号処理の幾つかの中間段階を示す。
図３ａ乃至図３ｄは、受信された信号、及び受信機における復調された信号までの信号処理の幾つかの中間段階を示す。
図４ａ及び図４ｂは、ハイレベル及びローレベル伝送を実行中のこうしたメッセージ伝送システムの送信機及び受信機をブロック図で示す。
図５ａ乃至図５ｋは、図４ａの送信機のディジタル入力された信号及び送信機における信号処理の幾つかの中間段階を示す。
図６ａ乃至図６ｅは、受信機側でピックアップされた信号及び受信機における信号処理の幾つかの中間段階を示す。
図７及び図８はそれぞれ、雑音抑圧回路を有する図４ｂに示された受信機の修正された形式を示す。
図１ａに示された送信機は、移植された医療装置から体外の制御装置へのデータ伝送のために使用される。例えば、心臓ペースメーカーの電極を使用して心電図（ＩＥＣＧ）を記録し、それを体外の制御装置に送信することが可能であり、当該制御装置はＩＥＣＧをモニターに表示し、それを診断目的でさらなる信号処理を実行する。図１ａに示された送信機は、送信が領域及び雑音免疫性に関する予め決められた要件に対して比較的低い送信電力で発生可能であり、従って、一つにはバッテリ寿命を増大させ、一つには電子スモッグとしても知られる電磁放射による環境への影響を低減させることから、図１ｂに示された受信機とともに、このアプリケーションに最適である。さらに当該送信機は、比較的低い送信電力のために、他の通信システムに比べて低減された干渉電位を有している。
送信機において例えばＩＥＣＧ信号をディジタル化することによって生成され、図２ａにその時間行動（ふるまい）の詳細が示されているディジタル入力された信号ｓ1は、パルス波形整形器２に供給され、パルス波形整形器２は、入力された信号ｓ1の比較的広めのスクエアパルスを、（準）ディラックパルスをエミュレートする短いニードルインパルスに変換する。図２ｂのニードルパルス列ｓ2の図から、個々のニードルパルスの生成が、入力された信号ｓ1のスクエアパルスの立上りエッジによってトリガーされることが分かる。
次いで、こうして生成されたニードルパルス列ｓ2は、低域通過フィルタ３に供給される。低域通過フィルタ３のフィルタ特性は、臨界周波数の少し手前にピークを有するため、個々のニードルパルスは、図２ｃで分かるように、Ｓｉｎｃパルスに変換される。Ｓｉｎｃパルスの形状は、周知のＳｉｎｃ関数：Ｓｉｎｃ（ｘ）＝sin(x)／ｘに一致する。
次いで、Ｓｉｎｃパルス列ｓ3が振幅変調器４（又は振幅乗算器）に供給される。振幅変調器４は、この信号を発振器５によって生成された周波数ｆTの搬送波発振信号にと変調するため、図２ｄに示されるように、当該振幅変調器の出力にはＳｉｎｃ形状の包絡線を有する搬送波周波数パルスが生成される。（この図では、表示目的でパルスが広めに示されているが、所定のスケールの表示では、これより狭い。）
振幅変調器４の次には分散フィルタ６が接続されており、これは、変調された搬送波周波数信号ｓ4をその周波数依存の差動遅延時間特性に従ってろ波する。分散フィルタ６の出力には、図２ｅで分かるように、一定の振幅を有する線形的に周波数変調されたパルスが到着する。当該パルスの周波数は、パルス継続時間の間に、搬送波周波数ｆTより上の値であるｆT＋Δｆ／２から搬送波周波数より下の値であるｆT−Δｆ／２まで減少する。
従って、ここに示された送信機では、入力された信号ｓ1の伝送がユニポーラ（単極）で行われる。すなわち、伝送パルスはハイレベルの入力信号ｓ1に対してのみ生成され、ローレベルの認識は、伝送信号ｓ5におけるポーズから可能である。この理由のために、送信機及び受信機は、各々がわずかに１つの分散フィルタ６，１３を含んで、合理的に簡単な形式で構成することができる。
こうして生成されたパルス列ｓ5は、次に帯域通過フィルタ７に供給される。帯域通過フィルタ７の中心周波数は、周波数変調されたパルスの搬送波周波数ｆTに等しいため、伝送帯域外の信号はろ波により除去される。
最後に、帯域通過を制限された信号が送信機増幅器８によってアンテナ９に供給され、放射される。
図１ｂに示された受信機は、上述の送信機によって放射された線形的に周波数変調された信号の受信、及びディジタル入力された信号ｓ3又はｓ1の復調及び回復を可能にする。
この目的のため、例えばダイバーシティ処理において受信機のアンテナ１０によって受信された信号は、前置増幅器１１に供給され、次いで帯域通過フィルタ１２に供給される。帯域通過フィルタ１２の中心周波数は帯域通過が制限された伝送信号の搬送波周波数ｆTに等しいため、他の周波数領域からの雑音信号を受信機信号から除去することができる。（この場合は、従来型の帯域通過フィルタの代わりに弾性表面波フィルタを使用可能である。）こうして用意された信号ｓ6の時間行動（ふるまい）は、図３ａに詳しく示されている。ここでは、簡単化のために、雑音の無い伝送路が仮定されている。
受信された信号ｓ6は、一連の線形的に周波数変調されたパルスで構成されており、パルス継続時間の間、周波数は送信機側で使用された変調特性に従って搬送波周波数ｆTより上の値であるｆT＋Δｆ／２から、搬送波周波数より下の値であるｆT−Δｆ／２まで減少する。
次に信号ｓ6は分散フィルタ１３に供給され、分散フィルタ１３は入力信号ｓ6の個々のパルスを時間圧縮する。これにより振幅が対応して増加され、従って、信号対雑音比が改善されることになる。
ここで、パルス圧縮は、送信機側で実行される線形周波数変調のために、より高い周波数の信号成分はより低い周波数の信号成分より前に分散フィルタ１３の出力に到達するという事実を使用している。分散フィルタ１３は、より高い周波数の信号成分による”先導又はリード”を、より高い周波数の信号成分をより低い周波数の信号成分よりも遅らせることによって補償する。ここで、分散フィルタ１３の周波数依存の差動遅延時間応答は、受信された信号のスペクトル信号成分が分散フィルタ１３の出力において本質的に同時に到着するように、送信機側で実行された周波数変調の変調特性に整合される。図３ｂが示すように、スペクトル成分が重なって各パルスにＳｉｎｃ形状の包絡線を有する信号ｓ7が形成され、これによって個々のパルス振幅は、受信された線形の周波数変調された信号ｓ6に比較して大幅に増大する。（この時点では、明確に示すために、図面が示す図式的な信号表示に歪みが導入されている。実際には、周波数変調されたパルスは互いにもっと近接しており、圧縮された信号はもっと狭い。）
次に、分散フィルタ１３の出力信号は復調器１４に供給され、復調器１４は高周波搬送波発振信号から信号ｓ7を分離し、図３ｃが示すようにニードル形パルスを有する離散的出力信号を生成する。
次に、図３ｄにその時間行動の詳細が示されている元のディジタル信号ｓ9は、パルス波形整形器１５を使用してニードル形パルスから回復される。
図４ａ及び４ｂは、ハイレベル及びローレベル両方のディジタル情報信号がアクティブに伝送され、これがより高い雑音免疫性に寄与するという最も重要な事実によって、上述されかつ図１ａ及び図１ｂに示されたより簡単な実施形態とは異なる、本発明によるさらなるメッセージ伝送システムを示している。この送信システムもまた、送信電力に対してより低い要求のために、移植された医療装置から体外の制御装置へのデータ伝送に特に適している。
図４ａが示す送信機はパルス波形整形器１７を含み、パルス波形整形器１７は、タイミング生成器１６により図５ａ及び図５ｂが示す反対位相のタイミングパルスを使用してトリガーされる。パルス波形整形器はその出力において、図５ｃが示すように、（準）ディラックデルタ列を形成するニードル形パルス列ｇ1を出力する。こうして生成されたパルス列ｇ1は、次いで低域通過フィルタ１８に供給される。低域通過フィルタ１８のフィルタ特性は、臨界周波数の少し手前にピークを有し、ニードル形パルスを図５ｄに詳細が示されているＳｉｎｃ形パルスに変換する。次に、このパルスｇ2は、振幅変調器２０を使用して、発振器１９によって生成された搬送波周波数ｆTを有する搬送波発振信号に変調される。こうして、振幅変調器２０（又は振幅乗算器）の出力には、Ｓｉｎｃ形状の包絡線を有する等距離の搬送波周波数パルスの列ｇ3が到着する。この実施形態においては、振幅変調器２０の出力に到着するパルス列ｇ3はディジタル入力された信号ｇ4とは無関係であり、よって何の情報も含まない点が重要である。
次いで、アナログスイッチ２１により、入力信号ｇ4の情報の印加が実行される。アナログスイッチ２１は入力された信号ｇ4によって制御され、また振幅変調器２０によって生成されたパルス列ｇ3を、入力された信号ｇ4の振幅に依存して周波数依存して線形的に減少する遅延時間を有する分散フィルタ２２、もしくは周波数依存して線形的に上昇する遅延時間を有する分散フィルタ２３の何れかに方向付ける。その両出力では、分散フィルタ２２，２３がさらなるアナログスイッチ２４又は混合器ステージに接続されており、アナログスイッチ２４は、入力信号ｇ4の振幅に依存して、２つの分散フィルタ２２，２３のうちの１つの出力信号ｇ7，ｇ8を選択して通過させる。
こうして、アナログスイッチ２４の出力には、図５ｋが示すように搬送波周波数パルスの列ｇ9がパルス毎に線形的に周波数変調されて到着する。これにより、ハイレベルの入力信号ｇ4については個々のパルスがパルス継続時間の間に線形的に増加する周波数を示し、一方でローレベルの入力信号ｇ4についてはパルス間に周波数が線形的に減少する。
アナログスイッチ２４の出力に到着する信号は、次に帯域通過フィルタによってろ波され、伝送帯域外に存在する干渉信号が抑圧される。こうして取得された信号は、次いで送信機増幅器２６によって増幅され、さらに送信機アンテナ２７によって放射される。
図４ｂは、図４ａに図示された送信機によって放射された信号をアンテナ２８を使用して受信する関連する受信機を示している。受信機は、前置増幅器２９において信号を増幅し、帯域通過フィルタ３０において周波数が伝送帯域外に存在するあらゆる干渉信号を除去する。
次に、受信された信号は、スイッチング素子３１によって２つの分散フィルタ３２，３３に伝送される。ここでは、受信された信号のスペクトル信号成分が２つの分散フィルタ３２又は３３のうちの１つの出力で増大された振幅を有するパルスに加わり、一方で他方の分散フィルタ３３又は３２の出力には、不整合のために減衰されたパルスのみが到着するように、受信機側の２つの分散フィルタ３２，３３の周波数依存の遅延時間応答が、送信機側の２つの分散フィルタ２２，２３の周波数依存遅延時間応答に対で整合される。
図６ａ及び６ｂが示すように、分散フィルタ３２，３３の出力信号ｇ10又はｇ11は、Ｓｉｎｃ形状の包絡線を有する搬送波周波数パルスの列で構成されている。
次いで、２つの分散フィルタ３２，３３の出力に出現する信号ｇ10又はｇ11は復調器３４，３５に供給される。復調器３４，３５は、搬送波発振信号から信号ｇ10又はｇ11を分離し、図６ｃ又は６ｄに見られるようなニードル形パルスを生成する。
復調器３４の出力における各ニードルインパルスは、１つのハイレベルの入力信号ｇ4に対応し、他方の復調器３５の出力に到着するニードルインパルスは、ローレベルの入力信号ｇ4を示す。
２つの信号ｇ12，ｇ13から元の入力信号ｇ4を回復するため、２つの信号ｇ12，ｇ13がタイミング生成器３６に供給されてトリガーが行われ、タイミング生成器３６は元の入力信号ｇ4のタイミング速度を再生するタイミング信号を生成する。このタイミング信号は２つの復調器３４，３５の出力信号ｇ12，ｇ13とともに復号器３７に供給され、復号器３７は図６ｅから明らかなように元の出力信号ｇ4，ｇ14を回復又は再生する。
図７は、雑音抑圧回路３８を有する図４ｂが示す受信機の変形例を示している。雑音抑圧回路３８は、こうしたチャープ信号のために他の受信機と接続することができる。この受信機と図４ｂが示す受信機とは極めて類似しているため、機能上の同様の構成要素には２つの図面を介して同じ参照記号が付されている。
前述の受信機の場合と同様に、送信機側でチャープされた信号は、アンテナ２８を介して受信され、まず入力増幅器２９へ、次いで帯域通過フィルタ３０に供給される。帯域通過フィルタ３０は搬送波周波数に同調されており、よって伝送帯域外に存在する雑音信号がろ波により除去される。次に、信号は雑音抑圧回路３８に伝送され、各々互いに逆の関係（反転関係）にある２つの分散フィルタ３９，４４、又は４０，４３が直列に接続された平行する２つの分岐に分割される。論理ローレベル及び論理ハイレベルのアクティブ伝送の間、入力側に設けられた２つの分散フィルタ３９又は４０のうちの１つは、時間圧縮された信号がこの分散フィルタ３９又は４０の出力に到着するように同調される。他の分散フィルタ３９又は４０の出力には、その元の長さの２倍に時間的に伸張されたパルスが到着する。２つのアナログスイッチ４１，４２は、２つの分岐における信号の流れを圧縮されたパルスの中心部付近で対称的に遮断するため、時間圧縮されたパルスが抑圧されて他方の分岐における時間伸張されたパルスのみが残る。ここで、アナログスイッチ４１，４２は同期回路４６を介して制御される。同期回路４６は、タイミング生成器３６によってトリガーされ、よって出力信号のタイミングを再生し、さらに送信タイミングを再生する。続く分散フィルタ４３、４４は、時間伸張されたパルスから、元の幅を有しかつ対応して元の振幅を有する元のパルスを生成する。こうしたパルスは、次に減算器４５に供給され、減算器４５の出力に本質的に元のパルスが出現する。
このことは、雑音のある伝送路によって生じ、有用な信号とともに受信機によって受信される雑音に対して異なる。雑音はまず、分散フィルタ３９，４０によって異なる方向にシフトされる。しかしながら、その後に接続された分散フィルタ４３，４４がこのシフトを反転させるため、入力された雑音は、アナログスイッチ４１，４２によって遮断された非常に短い部分を除いて２つの分岐において再構成される。こうして、減算器４５による減算は受信機側で受信される雑音の大幅な抑圧に導く。
次いで、この方法で準備された信号のさらなる処理は図４ｂに対する説明に記載された通りに発生し、分岐点３１において開始される。
図８に示された受信機は、雑音抑圧回路４７の設計及び制御に関して上述及び図７に示された受信機とは本質的に異なる。２つの回路は極めて類似しているため、図７及び８では機能的に等しい構成要素又は構成要素モジュールに同じ参照記号が付されている。
図７に示された受信機の場合と同様に、チャープされたパルスがアンテナ２８によって受信され、まず入力増幅器２９に供給され、次いで帯域通過フィルタ３０に供給される。帯域通過フィルタ３０は、搬送波周波数に同調されているため、伝送帯域外に存在する雑音信号がろ波により除去される。
続いて、上記信号は雑音抑圧回路４７に伝送される。当該雑音抑圧回路４７は信号を、各々が互いに逆の関係（反転関係）にあり直列に接続された２つの分散フィルタ４８，５２及び４９，５３を含む２つの並列の分岐に分割する。２つの分岐は雑音抑圧回路４７の出力において減算器５４によって合成され、これにより、受信された信号における雑音が減算によって完全に抑圧される。
これに対して、チャープされた信号は減算器５４における減算によって取り消されないため、信号対雑音比が大幅に増加する。これにより、入力側の分散フィルタ４８，４９は、対応して増大した振幅を有する時間圧縮されたパルスが分散フィルタ４８，４９のうちの１つの出力に現われ、減少した振幅を有する時間伸張されたパルスが他方の分散フィルタ４９，４８の出力に発生するように、送信機側で生成されたチャープ信号に整合される。圧縮されたパルスが到着するとき、２つの分岐における信号の流れは、詳細後述するように乗算器５０，５１によって同期して抑圧されるため、圧縮されたパルスはほぼその包絡線に沿って遮断される。次いで、後続の分散フィルタ５２，５３によって時間伸張されたパルスから元のパルスが生成され、本質的に信号対雑音比が大幅に向上した元の受信された信号が減算器５４の出力に到着する。
乗算器５０，５１のトリガーは伝送タイミング速度との固定された同期によって発生するため、雑音抑圧回路４７の２つの分岐における信号を正確に時間圧縮されたパルスの到着時点で抑圧することができる。この目的のために、受信機は同期回路５７を含んでいる。同期回路５７は、入力側が同期のためのタイミング生成器３６に接続されている。続いて、ゼロに向かってピークと逆に位置する振幅１の同期パルスがパルス波形整形器５６及び低域通過フィルタ５５によって生成され、次いで乗算器５０，５１に供給される。乗算器５０，５１は、雑音抑圧回路４７の２つの分岐における信号にゼロ又は１の何れかを乗算して対応して信号を抑圧し、もしくは本質的にそれを無変更のまま通過させる。このように、この場合の乗算器５０，５１は、先述の雑音抑圧回路３８の変形例におけるスイッチング素子４１，４２と同じ効果を有している。
本発明の範囲は、上述の好適な実施形態に制限されない。基本的に異なる実施であっても、提起された解法を利用した多数の変形例が可能である。本明細書に示された実施形態は、解法の幅広い範囲の基本タイプとしてのみ理解されるべきものである。
【図１ａ】
0003904609.tif 000002
【図１ｂ】
0003904609.tif 000003
【図２ａ】
0003904609.tif 000004
【図２ｂ】
0003904609.tif 000005
【図２ｃ】
0003904609.tif 000006
【図２ｄ】
0003904609.tif 000007
【図２ｅ】
0003904609.tif 000008
【図３ａ】
0003904609.tif 000009
【図３ｂ】
0003904609.tif 000010
【図３ｃ】
0003904609.tif 000011
【図３ｄ】
0003904609.tif 000012
【図４ａ】
0003904609.tif 000013
【図４ｂ】
0003904609.tif 000014
【図５ａ】
0003904609.tif 000015
【図５ｂ】
0003904609.tif 000016
【図５ｃ】
0003904609.tif 000017
【図５ｄ】
0003904609.tif 000018
【図５ｅ】
0003904609.tif 000019
【図５ｆ】
0003904609.tif 000020
【図５ｇ】
0003904609.tif 000021
【図５ｈ】
0003904609.tif 000022
【図５ｉ】
0003904609.tif 000023
【図５ｊ】
0003904609.tif 000024
【図５ｋ】
0003904609.tif 000025
【図６ａ】
0003904609.tif 000026
【図６ｂ】
0003904609.tif 000027
【図６ｃ】
0003904609.tif 000028
【図６ｄ】
0003904609.tif 000029
【図６ｅ】
0003904609.tif 000030
【図７】
0003904609.tif 000031
【図８】
0003904609.tif 000032